(57)【要約】【課題】衛星放送を受信するテレビ放送受信システムのブースタにおいて、衛星放送信号受信用アンテナの駆動電力を供給可能なチューナと併用したときに、衛星放送受信時には、そのチューナからの駆動電力を通過させてアンテナに供給可能として、チューナが動作していないときには駆動電力を消費しないようにして省電力化させる。【解決手段】ブースタ１は、衛星放送信号受信用アンテナ２と接続されて放送信号が入力される第１入出力端子６と、放送信号を混合して出力する放送信号選択出力部１ｂと、チューナ５と接続される１つの第２入出力端子８と、増幅部１ａを経由せずに第１入出力端子６と第２入出力端子８とを接続する電力供給経路１ｄとを有している。チューナ５から出力された駆動電力は、第２入出力端子８から入力されて電力供給経路１ｄを経由し、第１入出力端子６から衛星放送信号受信用アンテナ２に供給される。削除【選択図】図１
2007006417.tif 000002
【特許請求の範囲】
【請求項１】
衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、
チューナ又は分配器が接続され、前記チューナから直接又は前記分配器を介して受信しようとする衛星放送信号の種類を選択するための選択制御信号及び前記衛星放送信号受信用アンテナの駆動電力が入力されると共に、前記選択制御信号により選択された種類の衛星放送信号を前記チューナに出力する第２入出力端子と、
前記第１入出力端子から入力される複数種類の衛星放送信号にそれぞれ対応して設けられ、各衛星放送信号を増幅する複数の増幅部と、
前記増幅部に電力を供給する電源部と、
前記増幅部により増幅された複数種類の衛星放送信号を前記第２入出力端子に出力する放送信号選択出力部と、
前記第１入出力端子と前記第２入出力端子を、少なくとも前記増幅部を介さずに接続し、前記第２入出力端子に直接又は分配器を介して接続されたいずれかのチューナから前記駆動電力が入力されたときにのみ、前記第１入出力端子から前記衛星放送信号受信用アンテナに対して駆動電力を出力する電力供給経路とを備えたブースタ。
【請求項２】
前記電源部は前記衛星放送信号受信用アンテナの駆動電力を供給可能であり、
前記電力供給経路と前記電源部の間に切り替えスイッチがさらに設けられており、
前記切り替えスイッチが前記電源部側に切り替えられているときは、前記電源部から、前記衛星放送信号受信用アンテナに対して駆動電力を常時出力することを特徴とする請求項１に記載のブースタ。
【請求項３】
衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、
それぞれにチューナが接続され、前記チューナから受信しようとする衛星放送信号の種類を選択するための選択制御信号及び前記衛星放送信号受信用アンテナの駆動電力が入力されると共に、前記選択制御信号により選択された種類の衛星放送信号を前記チューナに出力する複数の第２入出力端子と、
前記第１入出力端子から入力される複数種類の衛星放送信号にそれぞれ対応して設けられ、各衛星放送信号を増幅する複数の増幅部と、
前記増幅部に電力を供給する電源部と、
前記増幅部により増幅された複数種類の衛星放送信号のうち、前記選択制御信号により選択された衛星放送信号をその選択制御信号が入力された第２入出力端子に出力する放送信号選択出力部と、
前記第１入出力端子と前記第２入出力端子を、少なくとも前記増幅部を介さずに接続し、前記第２入出力端子に接続されたいずれかのチューナから前記駆動電力が入力されたときにのみ、前記第１入出力端子から前記衛星放送信号受信用アンテナに対して駆動電力を出力する電力供給経路とを備え、
前記電源部は前記衛星放送信号受信用アンテナの駆動電力を供給可能であり、
前記電力供給経路と前記電源部の間に切り替えスイッチがさらに設けられており、
前記切り替えスイッチが前記電源部側に切り替えられているときは、前記電源部から、前記衛星放送信号受信用アンテナに対して駆動電力を常時出力することを特徴とするブースタ。
【請求項４】
地上波放送受信用アンテナが接続される入力端子をさらに備え、前記放送信号選択出力部は、地上波放送信号と衛星放送信号を混合して出力することが可能であることを特徴とする請求項１乃至３のいずれかに記載のブースタ。
【請求項５】
衛星放送信号を受信するときにのみ衛星放送信号受信用アンテナの駆動電力を出力するチューナと、請求項１乃至４のいずれかに記載のブースタで構成され、衛星放送信号を受信しない場合には、衛星放送信号受信用アンテナに駆動電力を供給しないことにより省電力化を可能とするテレビ放送受信システム。
【発明の詳細な説明】
【技術分野】
【０００１】
本発明は、衛星放送信号受信用アンテナで受信された衛星放送の信号を増幅させるブースタ及びそのブースタを用いたテレビ放送受信システムに関する。
【背景技術】
【０００２】
従来、テレビ放送として、放送衛星や通信衛星を用いて、ＢＳ１１０度ＣＳ放送やＣＳ放送等の衛星放送が行われている。このような衛星放送を受信して視聴する場合には、衛星から送信される電波を受信するための衛星放送信号受信用アンテナを用いる必要がある。この衛星放送信号受信用アンテナは、外部から駆動電力が供給されて動作する。一般に、駆動電力は、衛星放送信号受信用アンテナに接続されたチューナから供給されたり、また、衛星放送信号受信用アンテナにブースタが接続されている場合には、このブースタから供給されたりする。
【０００３】
図３は、衛星放送を視聴するための従来のテレビ放送受信システムの一例を示す。このテレビ放送受信システムは、例えばＢＳ１１０度ＣＳ放送等の衛星放送と地上波放送とを視聴するためのものであり、ブースタ８１と、ブースタ８１に接続される衛星放送信号受信用アンテナ８２及び地上波放送受信用アンテナ（図示せず）と、分配器８３と、分配器８３に接続される２つのＴＶコンセント８４と、ＴＶコンセント８４にそれぞれ接続されるチューナ８５とを備えている。
【０００４】
ブースタ８１は、衛星放送信号受信用アンテナ８２及び地上波放送受信用アンテナにそれぞれ接続される２つの増幅部８１ａと、これらの増幅部８１ａによりそれぞれ増幅される衛星放送用信号と地上波放送用信号を１つの信号に混合して出力する混合部８１ｂと、外部の商用電源に接続されており、増幅部８１ａに電力を供給する電源部８１ｃとを有している。一般に、衛星放送を多箇所で視聴する場合には、衛星放送信号を分配器８３で分配するときに分配ロスが生じたり、配線ロスが生じたりする。そのため、ブースタ８１を用いて衛星放送信号受信用アンテナ８２で受信された衛星放送信号や地上波放送受信用アンテナで受信された地上波放送信号のレベルを上げることにより、上述のように分配ロスや配線ロスが生じても衛星放送や地上波放送を視聴することができるようにしている。
【０００５】
ここで、このテレビ放送受信システムでは、衛星放送信号受信用アンテナ８２は、ブースタ８１の電源部８１ｃから例えばＤＣ１５Ｖの駆動電力が供給されることにより動作している。ブースタ８１には、図に示すように、電源部８１ｃから衛星放送信号受信用アンテナ８２へ駆動電力を出力するための電力供給経路８１ｄが設けられている。この電力供給経路８１ｄの途中にはスイッチ８１ｇが設けられており、スイッチ８１ｇは、衛星放送信号受信用アンテナ８２がブースタ８１に接続されるときには、通常はオン状態とされている。これにより、スイッチ８１ｇがオンのとき、衛星放送信号受信用アンテナ８２に電源部８１ｃから駆動電力が常時供給されて、この衛星放送信号受信用アンテナ８２が駆動される。
【０００６】
しかしながら、上述のようなテレビ放送受信システムにおいては、一般的に、スイッチ８１ｇはブースタ８１及び衛星放送信号受信用アンテナ８２が設置されたときにオンされ、ユーザがオフすることは困難である。そのため、スイッチ８１ｇは常時オンされ、ブースタ８１の電源部８１ｃから衛星放送信号受信用アンテナ８２に駆動電力が常時供給される。すなわち、このテレビ放送受信システムでは、衛星放送を視聴していない場合でも、駆動電力として余分な電力が消費されており、経済的ではない。一方、チューナ８５として、上述のように衛星放送受信時のみに駆動電力を供給可能であり、衛星放送信号受信用アンテナの駆動電力を無駄に消費しないようにするものがある。従来、例えば特許文献１に記載されているような、接続されたチューナ８５のうち電源オンのものがあるかどうか検出する直流電圧検出回路を備えたものが知られている。直流電圧検出回路は、電源オンの状態のチューナ８５から出力される直流電圧を検出する。そして、接続されているチューナ８５の中で電源オンであるものがあるときには、ブースタ８１の電源部８１ｃが衛星放送信号受信用アンテナ８２に駆動電力を供給する。しかしながら、ブースタ８１に直流電流検出回路を備える必要があり、ブースタ８１内部の回路構成が複雑化したり、ブースタ８１が高コスト化したりする。
【特許文献１】特開２００３−２８３３５１号公報
【発明の開示】
【発明が解決しようとする課題】
【０００７】
本発明は、上記問題点を鑑みてなされたものであり、衛星放送信号受信用アンテナに駆動電力を供給可能なチューナと併用するときに、衛星放送受信時には、そのチューナからの駆動電力を通過させて衛星放送信号受信用アンテナに供給することができ、チューナが動作していないときには駆動電力を消費せずに省電力化させることが可能となるブースタを提供することを目的とする。
【課題を解決するための手段】
【０００８】
上記目的を達成するため請求項１の発明は、衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、チューナ又は分配器が接続され、前記チューナから直接又は前記分配器を介して受信しようとする衛星放送信号の種類を選択するための選択制御信号及び前記衛星放送信号受信用アンテナの駆動電力が入力されると共に、前記選択制御信号により選択された種類の衛星放送信号を前記チューナに出力する第２入出力端子と、前記第１入出力端子から入力される複数種類の衛星放送信号にそれぞれ対応して設けられ、各衛星放送信号を増幅する複数の増幅部と、前記増幅部に電力を供給する電源部と、前記増幅部により増幅された複数種類の衛星放送信号を前記第２入出力端子に出力する放送信号選択出力部と、前記第１入出力端子と前記第２入出力端子を、少なくとも前記増幅部を介さずに接続し、前記第２入出力端子に直接又は分配器を介して接続されたいずれかのチューナから前記駆動電力が入力されたときにのみ、前記第１入出力端子から前記衛星放送信号受信用アンテナに対して駆動電力を出力する電力供給経路とを備えたものである。
【０００９】
請求項２の発明は、請求項１の発明において、前記電源部は前記衛星放送信号受信用アンテナの駆動電力を供給可能であり、前記電力供給経路と前記電源部の間に切り替えスイッチがさらに設けられており、前記切り替えスイッチが前記電源部側に切り替えられているときは、前記電源部から、前記衛星放送信号受信用アンテナに対して駆動電力を常時出力するものである。
【００１０】
請求項３の発明は、衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、それぞれにチューナが接続され、前記チューナから受信しようとする衛星放送信号の種類を選択するための選択制御信号及び前記衛星放送信号受信用アンテナの駆動電力が入力されると共に、前記選択制御信号により選択された種類の衛星放送信号を前記チューナに出力する複数の第２入出力端子と、前記第１入出力端子から入力される複数種類の衛星放送信号にそれぞれ対応して設けられ、各衛星放送信号を増幅する複数の増幅部と、前記増幅部に電力を供給する電源部と、前記増幅部により増幅された複数種類の衛星放送信号のうち、前記選択制御信号により選択された衛星放送信号をその選択制御信号が入力された第２入出力端子に出力する放送信号選択出力部と、前記第１入出力端子と前記第２入出力端子を、少なくとも前記増幅部を介さずに接続し、前記第２入出力端子に接続されたいずれかのチューナから前記駆動電力が入力されたときにのみ、前記第１入出力端子から前記衛星放送信号受信用アンテナに対して駆動電力を出力する電力供給経路とを備え、前記電源部は前記衛星放送信号受信用アンテナの駆動電力を供給可能であり、前記電力供給経路と前記電源部の間に切り替えスイッチがさらに設けられており、前記切り替えスイッチが前記電源部側に切り替えられているときは、前記電源部から、前記衛星放送信号受信用アンテナに対して駆動電力を常時出力するものである。
【００１１】
請求項４の発明は、請求項１乃至３のいずれかの発明において、地上波放送受信用アンテナが接続される入力端子をさらに備え、前記放送信号選択出力部は、地上波放送信号と衛星放送信号を混合して出力することが可能であるものである。
【００１２】
請求項５の発明は、衛星放送信号を受信するときにのみ衛星放送信号受信用アンテナの駆動電力を出力するチューナと、請求項１乃至４のいずれかに記載のブースタで構成され、衛星放送信号を受信しない場合には、衛星放送信号受信用アンテナに駆動電力を供給しないことにより省電力化を可能とするものである。
【発明の効果】
【００１３】
請求項１の発明によれば、第２入出力端子に接続されたいずれかのチューナから駆動電力が入力されたときのみ、電力供給経路を経由して第１入出力端子から衛星放送信号受信用アンテナに対して駆動電力が出力されるので、駆動電力の消費が衛星放送受信時のみに抑えられ、テレビ放送受信システムを省電力化して経済的にすることが可能となる。また、第２入出力端子はブースタに必要本数のみ設けられており、第２入出力端子に直接又は分配器を介してチューナが接続されるので、接続されるチューナの数が異なる等、多様な構成のテレビ放送受信システムにも、第２入出力端子の数が異なる多種類のブースタを用いることなく、１つのブースタで対応することが可能となり、ブースタの製造コストを低くすることが可能となる。
【００１４】
請求項２の発明によれば、電源部が衛星放送信号受信用アンテナの駆動電力を供給可能であり、切り替えスイッチを切り替えることで、電源部から衛星放送信号受信用アンテナの駆動電力を出力することが可能となる。従って、ブースタに接続されるチューナが駆動電力を供給不可能であるとき等にも切り替えスイッチを切り替えることで対応することが可能となり、上述のようにチューナが駆動電力を供給可能であるときにはテレビ放送受信システムを省電力化することが可能であり、また、製造コストが低いブースタをより多様な構成のテレビ放送受信システムに用いることが可能となる。
【００１５】
請求項３の発明によれば、電源部が衛星放送信号受信用アンテナの駆動電力を供給可能であり、切り替えスイッチを切り替えることで、電源部から衛星放送信号受信用アンテナの駆動電力を出力することが可能となる。従って、ブースタに接続されるチューナが駆動電力を供給不可能であるとき等にも切り替えスイッチを切り替えることで対応することが可能となり、チューナが駆動電力を供給可能であるときにはテレビ放送受信システムを省電力化することが可能なブースタをより多様な構成のテレビ放送受信システムに用いることが可能となる。
【００１６】
請求項４の発明によれば、地上波放送受信用アンテナが接続される入力端子をさらに備えており、放送信号選択出力部は、地上波放送信号と衛星放送信号を混合して出力するので、地上波放送と衛星放送をともに視聴する際に１つのブースタで対応することが可能となる。したがって、地上波放送と衛星放送を視聴するテレビ放送受信システムの配線がより単純となり、また、上述のようにテレビ放送受信システムを省電力化して経済的にすることが可能となる。
【００１７】
請求項５の発明によれば、チューナが衛星放送信号を受信しない場合には、衛星放送信号受信用アンテナに駆動電力を供給しないので、テレビ放送受信システムを省電力化することが可能となり、経済的にすることが可能となる。
【発明を実施するための最良の形態】
【００１８】
以下、本発明の第１の実施形態について図面を参照して説明する。本実施形態において、テレビ放送受信システムは、例えば１種類の衛星放送信号及び１種類の地上波放送信号（以下、放送信号と称する）を受信する場合について説明しているが、これに限られるものではない。
【００１９】
図１は、本実施形態に係るブースタを用いたテレビ放送受信システムの構成を示す。このテレビ放送受信システムは、ブースタ１と、このブースタ１に接続される衛星放送信号受信用アンテナ２及び地上波放送受信用アンテナ（図示せず）と、分配器３と、分配器３に接続されるコネクタである２つのＴＶコンセント４と、これらのＴＶコンセント４にそれぞれ接続される２つのチューナ５とを備えている。
【００２０】
ブースタ１は、衛星放送信号受信用アンテナ２が接続される第１入出力端子６と、地上波放送受信用アンテナが接続される入力端子７と、後述する分配器３とＴＶコンセント４とを介してチューナ５が接続される第２入出力端子８と、第１入出力端子６及び入力端子７から入力される２種類の衛星放送信号及び地上波放送信号にそれぞれ対応して２つ設けられ、それぞれの信号を増幅させる増幅部１ａと、増幅部１ａで増幅されたそれぞれの信号を各第２入出力端子８に混合して出力する放送信号選択出力部１ｂと、例えば外部の商用電源と接続され各増幅部１ａに電力を供給する電源部１ｃとを備えている。また、図に示すように、衛星放送信号受信用アンテナ２に接続された第１入出力端子６と増幅部１ａとの間の経路には、例えばコンデンサ等の、直流電流をカットするためのフィルタ１ｆが挿入されている。そして、衛星放送信号受信用アンテナ２に接続された第１入出力端子６と各フィルタ１ｆとの間の経路には、放送信号選択出力部１ｂと接続された電力供給経路１ｄが設けられている。すなわち、電力供給経路１ｄは、第１入出力端子６と第２入出力端子８を、少なくとも増幅部１ａを介さずに接続している。図に示すように、この電力供給経路１ｄには、例えばコイル等、交流信号をカットするためのフィルタ１ｅが挿入されている。
【００２１】
衛星放送信号受信用アンテナ２は、外部から駆動電力が供給されることで動作し、放送衛星や通信衛星から送信される衛星放送信号の電波を受信する。本実施形態において、駆動電力は、後述のようにチューナ５から供給される。一方、地上波放送受信用アンテナは、駆動電力が供給されなくても、地上波放送信号の電波を受信可能なものである。
【００２２】
分配器３は、ブースタ１の第２入出力端子８を介して放送信号選択出力部１ｂと接続される分配／信号切替部３ａと、後述するような電流通過形のＴＶコンセント４を介してそれぞれチューナ５と接続される２つの入出力端子（図示せず）とを有している。また、図に示すように、分配／信号切替部３ａとそれぞれの入出力端子とを接続する経路の途中には、例えばコンデンサ等の直流電流をカットするフィルタ３ｆが設けられている。そして、フィルタ３ｆとそれぞれの入出力端子との間の経路と、分配／信号切替部３ａとは、交流信号をカットするコイル等のフィルタ３ｅが間に挿入された電力供給経路３ｄで接続されている。この分配器３は、ブースタ１から入力される放送信号を分配／信号切替部３ａで分配して、この分配器３の入出力端子よりチューナ５に送信する。なお、分配器３の入出力端子の数は、これに限られるものではなく、例えばこれよりも多くの入出力端子を有しており、放送信号を多系統に分配可能であってもよい。
【００２３】
ＴＶコンセント４は、分配器３の入出力端子及びチューナ５と例えば同軸ケーブル等により接続されており、分配器３を介してブースタ１から出力される放送信号をチューナ５へと伝送する。なお、このＴＶコンセント４は、チューナ５からブースタ１へ向けて電流を通過させる電流通過形のものであり、後述のようにチューナ５から供給される駆動電力をブースタ１に通過させる。
【００２４】
チューナ５は、ブースタ１からＴＶコンセント４を介して送信される放送信号が入力されて衛星放送及び地上波放送を受信するものである。チューナ５は、衛星放送受信しようとする直前に、衛星放送信号受信用アンテナ２の駆動電力をブースタ１に向けて送信する機能を有している。なお、本実施形態において、チューナ５は、衛星放送信号を受信しようとしないときには、この駆動電力を出力しないが、これに限られるものではない。
【００２５】
以下に、このテレビ放送受信システムの動作を説明する。本実施形態において、衛星放送信号受信用アンテナ２と地上波放送受信用アンテナにより受信された衛星放送信号及び地上波放送信号は、第１入出力端子６よりブースタ１に入力される。ブースタ１に入力されたこれらの放送信号は、それぞれ増幅部１ａにより増幅された後、放送信号選択出力部１ｂに送られる。放送信号選択出力部１ｂでは、これらの放送信号が、第２入出力端子８に向けて、混合されて出力される。そして、放送信号は、第２入出力端子８から分配器３の分配／信号切替部３ａに入力されて、分配器３の各入出力端子に２分配されて出力される。そして、この放送信号は、分配器３の入出力端子からチューナ５に出力され、チューナ５でその放送信号を受信して視聴可能となる。
【００２６】
また、チューナ５からブースタ１に送られる衛星放送信号受信用アンテナ２の駆動電力は、ＴＶコンセント４を介して分配器３に入力され、分配／信号切替部３ａからブースタ１の第２入出力端子８を介して放送信号選択出力部１ｂに送られる。そして、放送信号選択出力部１ｂから電力供給経路１ｄを経由して第１入出力端子６から衛星放送信号受信用アンテナ２に供給される。このように駆動電力が供給されることによって、衛星放送信号受信用アンテナ２が信号を受信可能に駆動される。
【００２７】
このように、本実施形態においては、ブースタ１が、いずれかのチューナ５から駆動電力が入力されたときにのみ、電力供給経路１ｄを経由して第１入出力端子６から衛星放送信号受信用アンテナ２に対して駆動電力を出力する。チューナ５が衛星放送信号を受信していないときには、衛星放送信号受信用アンテナ２に駆動電力を供給しないので、駆動電力の消費が衛星放送受信時のみに抑えられ、テレビ放送受信システムを省電力化して経済的にすることが可能となる。
【００２８】
また、このブースタ１は地上波放送信号と衛星放送信号を混合して出力するので、地上波放送と衛星放送をともに受信する際に１つのブースタで対応することが可能となる。したがって、地上波放送と衛星放送を受信するテレビ放送受信システムの配線がより単純となり、また、上述のように省電力化して経済的にすることが可能となる。そして、第２入出力端子８はブースタ１に必要本数のみ設けられており、第２入出力端子８に直接又は分配器３を介してチューナ５が接続されるので、接続されるチューナ５の数が異なる等、多様な構成のテレビ放送受信システムにも、第２入出力端子８の数が異なる多種類のブースタを用いることなく、１つのブースタ１で対応することが可能となる。従って、ブースタ１の製造コストを低くすることが可能となる。
【００２９】
なお、衛星放送信号受信用アンテナ２、ＴＶコンセント４、及びチューナ５の数は、上述の数に限られるものではない。
【００３０】
また、テレビ放送受信システムは、ブースタ１が衛星放送信号受信用アンテナ２に接続されて増幅部１ａを有する経路を２系統有しており、チューナ５が、増幅部１ａで増幅された２種類の衛星放送信号のうち受信しようとする衛星放送信号の種類を選択するための選択制御信号を、衛星放送信号受信用アンテナ２の駆動電力とともにブースタ１に向けて送信する機能を有しており、例えば偏波等が互いに異なる２種類の衛星放送信号を受信するものであってもよい。この選択制御信号は、例えばＤＣ１１ＶとＤＣ１５Ｖなど、互いに異なる直流電圧により信号の種類を選択するものであるが、所定周波数の交流信号の有無によって信号の種類を選択するものであってもよい。
【００３１】
このとき、ブースタ１の放送信号選択出力部１ｂには、上述のようにチューナ５から選択制御信号及び駆動電力が送られる。そして、この選択制御信号に対応する種類の衛星放送信号が２種類の衛星放送信号のうちから選択される。そして、選択された衛星放送信号と地上波放送信号とが混合されたのち、第２入出力端子８から分配器３を介してチューナ５に出力され、チューナ５でその衛星放送信号を受信して視聴可能となる。そして、駆動電力は、駆動電力を出力したチューナ５が受信している衛星放送信号に対応する第１入出力端子６と増幅部１ａとの間の経路に接続されている電力供給経路１ｄに向けて、放送信号選択出力部１ｂから出力される。これにより、駆動電力は、電力供給経路１ｄ及び第１入出力端子６を経由して衛星放送信号受信用アンテナ２に供給される。
【００３２】
図２は、本発明の第２の実施形態に係るブースタを用いたテレビ放送受信システムの構成を示す。以下の各実施形態において、上述の第１の実施形態と同様のものは同一の符号を付し、上述の第１の実施形態と相違する部分についてのみ説明する。このテレビ放送受信システムは、１種類の衛星放送信号及び１種類の地上波放送信号を受信するものであるが、これに限られるものではない。また、第２の実施形態では、ブースタ３１には２つの第２入出力端子８が設けられており、放送信号選択出力部１ｂは、衛星放送信号及び地上波放送信号を混合し、各第２入出力端子８に向けて分配して出力するが、これに限られるものではない。このテレビ放送受信システムは、第１の実施形態と同様に、ブースタ３１が１つの第２入出力端子８を有しており、ブースタ３１と複数のチューナ５とが分配器３を介して接続されるようなものであってもよい。
【００３３】
このテレビ放送受信システムのブースタ３１は、１種類の衛星放送信号及び１種類の地上波放送信号にそれぞれ対応する２つの増幅部１ａを有しているものである。また、図に示すように、放送信号選択出力部１ｂと各第２入出力端子８とを接続する経路の途中には、例えばコンデンサ等の直流電流をカットするフィルタ１ｆが設けられている。そして、フィルタ１ｆと各第２入出力端子８との間の経路と、放送信号選択出力部１ｂとは、交流信号をカットするコイル等のフィルタ１ｅが間に挿入された電力供給経路１ｄで接続されている。
【００３４】
第２の実施形態において、ブースタ３１の電源部１ｃは衛星放送信号受信用アンテナ２の駆動電力を供給可能とされている。図に示すように、放送信号選択出力部１ｂと第１入出力端子６とを接続する電力供給経路３１ｄと、電源部１ｃの間には、切り替えスイッチ３１ｇが設けられている。この切り替えスイッチ３１ｇを切り替えることで、電力供給経路３１ｄを、電源部１ｃと第１入出力端子６とを接続する経路とするか、放送信号選択出力部１ｂと第１入出力端子６とを接続する経路とするかを切り替え可能とされている。
【００３５】
第２の実施形態において、チューナ５が、上述の第１の実施形態と同様に、選択制御信号と衛星放送信号受信用アンテナ２の駆動電力とを出力するときには、ブースタ３１の切り替えスイッチ３１ｇは、電力供給経路３１ｄが放送信号選択出力部１ｂと第１入出力端子６とを接続する経路となるように設定される。これにより、電力供給経路３１ｄ及び電力供給経路１ｄは、第１入出力端子６と第２入出力端子８を、少なくとも増幅部１ａを介さずに接続し、上述と同様に、チューナ５が出力する駆動電力が電力供給経路３１ｄを経由して衛星放送信号受信用アンテナ２に供給可能となる。一方、チューナ５が、衛星放送信号受信用アンテナ２の駆動電力を出力しないようなものであったり、また、例えばチューナ５とブースタ３１との間に接続されているテレビコンセントが電流通過形でなく駆動電力を供給不可能であったりするときには、ブースタ３１の切り替えスイッチ３１ｇは、電力供給経路３１ｄが電源部１ｃと第１入出力端子６とを接続する経路となるように、電源部１ｃ側に切り替えられて設定される。これにより、電源部１ｃから衛星放送信号受信用アンテナ２に対して駆動電力が常時出力され、衛星放送信号受信用アンテナ２が駆動される。
【００３６】
このように、第２の実施形態においては、ブースタ３１に接続されるチューナ５が駆動電力を供給不可能であるとき等にも、切り替えスイッチ３１ｇを切り替えることで駆動電力を衛星放送信号受信用アンテナ２に出力して対応することが可能となり、チューナ５が駆動電力を供給可能であるときにはテレビ放送受信システムを省電力化することが可能なブースタ３１をより多様な構成のテレビ放送受信システムに用いることが可能となる。
【００３７】
なお、本発明は上記実施形態の構成に限定されるものではなく、発明の趣旨を変更しない範囲で適宜に種々の変形が可能である。例えば、テレビ受信システムで受信する放送信号は、上述のようなものに限らず、地上波放送信号を含まないものであってもよい。また、衛星放送信号はさらに多くてもよく、衛星放送信号受信用アンテナ２も１つのみに限られるものではない。例えば、衛星放送信号受信用アンテナ２の数が複数であるときには、チューナ５から送られた駆動電圧を、そのチューナ５が出力する選択制御信号に対応する衛星放送信号を受信するための衛星放送信号受信用アンテナ２に出力するようにブースタ１を構成すればよい。これにより、衛星放送信号受信用アンテナ２での駆動電力が、その衛星放送の受信時のみ消費されるようになり、テレビ放送受信システムを省電力化して経済的にすることが可能となる。
【図面の簡単な説明】
【００３８】
【図１】本発明の第１の実施形態に係るテレビ受信システムの構成を示す図。
【図２】本発明の第２の実施形態に係るテレビ受信システムの構成を示す図。
【図３】従来のテレビ受信システムの一例の構成を示す図。
【符号の説明】
【００３９】
１，３１  ブースタ
１ａ  増幅部
１ｂ  放送信号選択出力部
１ｃ  電源部
１ｄ，３１ｄ  電力供給経路
２  衛星放送信号受信用アンテナ
３  分配器
５  チューナ
６  第１入出力端子
７  入力端子
８  第２入出力端子
３１ｇ  切り替えスイッチ
【図１】
2007006417.tif 000003
【図２】
2007006417.tif 000004
【図３】
2007006417.tif 000005